(57)【要約】      （修正有）【課題】肌への負担軽減やランニングコストの低減等を実現したメイク落としタオルを提供する。【解決手段】タオル本体２は、基布１０の一方の面（第１面）１０ａに第１フィラメント１１を密植させ、他方の面（第２面）１０ｂに第２フィラメント１２を密植させたものである。両フィラメント１１，１２は、ともに極細のポリエステル繊維からなり、カットパイルによって形成されている。第１フィラメント１１の長さＬ１は第２フィラメント１２の長さＬ２より長く、Ｌ１とＬ２の比が２：１〜３：２の範囲に設定されている。【選択図】図２
0003213489.tif 000002
【実用新案登録請求の範囲】
【請求項１】
基布の両面に極細繊維を束ねてなるフィラメントがそれぞれ密植され、当該フィラメントによってフェイシャルメイクを除去するメイク落としタオルであって、
前記基布の一方の面に密植された第１フィラメントの長さと、当該基布の他方の面に密植された第２フィラメントの長さとが異なっているメイク落としタオル。
【請求項２】
前記第１フィラメントの長さと前記第２フィラメントの長さとの比が２：１〜３：２の範囲にある、請求項１に記載のメイク落としタオル。
【請求項３】
前記フィラメントがカットパイルである、請求項１または請求項２に記載のメイク落としタオル。
【請求項４】
前記極細繊維がポリエステル繊維である、請求項１〜請求項３のいずれか一項に記載のメイク落としタオル。
【考案の詳細な説明】
【技術分野】
【０００１】
本考案は、メイク落としタオルに係り、詳しくは肌への負担軽減やランニングコストの低減等を実現する技術に関する。
【背景技術】
【０００２】
帰宅後や就寝前にフェースメイク（アイメイクやファンデーション、口紅等）を落とすものとして、石鹸やクレンジングオイルやクリーム等とともに、携帯性や簡便性に優れたメイク落としシートが広く用いられている（特許文献１，２参照）。メイク落としシートは、不織布や紙等のシート基材にクレンジング剤を含浸させたもので、クレンジング剤で軟化させたフェースメイクをシート基材で掻き落とすものである。
【先行技術文献】
【特許文献】
【０００３】
【特許文献１】特開２０１３−２０９３３７号公報
【特許文献２】特開２００７−６８９８６号公報
【考案の概要】
【考案が解決しようとする課題】
【０００４】
上述したメイク落としシートは、フェースメイクをシート基材で掻き落とすことから、石鹸やクリームはおろかクレンジングオイルやリキッドに比べても肌への負担が大きかった。また、液状のクレンジング剤を含浸するために密封容器に収容する必要があり、使い捨てであることも相俟ってランニングコストが高くなる問題もあった。
【０００５】
本考案は、上記状況に鑑みなされたものであり、肌への負担軽減やランニングコストの低減等を実現したメイク落としタオルを提供することを目的とする。
【課題を解決するための手段】
【０００６】
本考案のメイク落としタオルは、基布の両面に極細繊維を束ねてなるフィラメントがそれぞれ密植され、当該フィラメントによってフェイシャルメイクを除去するメイク落としタオルであって、前記基布の一方の面に密植された第１フィラメントの長さと、当該基布の他方の面に密植された第２フィラメントの長さとが異なっている。
【０００７】
好適には、前記第１フィラメントの長さと前記第２フィラメントの長さとの比が２：１〜３：２の範囲にある。
【０００８】
好適には、前記フィラメントがカットパイルである。
【０００９】
好適には、前記極細繊維がポリエステル繊維である。
【考案の効果】
【００１０】
本考案によれば、フェースメイクに応じて使用する面を使い分けることにより、効果的なメイク落としと使い心地を両立させることができる。
【図面の簡単な説明】
【００１１】
【図１】実施形態に係るメイク落としタオルの斜視図である。
【図２】実施形態に係るメイク落としタオルの要部拡大縦断面図である。
【図３】実施形態に係るメイク落としタオルの使用状態を示す図である。
【考案を実施するための形態】
【００１２】
以下、図１〜図３を参照して、本考案のメイク落としタオルの一実施形態を詳細に説明する。
【００１３】
［実施形態の構成］
図１は、実施形態に係るメイク落としタオルの斜視図である。
図２は、実施形態に係るメイク落としタオルの要部拡大縦断面図である。
【００１４】
図１に示すように、本実施形態のメイク落としタオル１は、長円形状（略小判形状）を呈するタオル本体２と、タオル本体２の外縁を覆う縁布３と、タオル本体２の一端に縫いつけられたストラップ４（吊り輪）とからなっている。タオル本体２および縁布３は、ともにポリエステルを素材としている。
【００１５】
図２に示すように、タオル本体２は、基布１０の一方の面（第１面）１０ａに第１フィラメント１１を密植させ、他方の面（第２面）１０ｂに第２フィラメント１２を密植させたものである。両フィラメント１１，１２は、ともに極細のポリエステル繊維からなり、カットパイルによって形成されている。
【００１６】
第１フィラメント１１の長さＬ１は第２フィラメント１２の長さＬ２より長く、Ｌ１とＬ２の比が２：１〜３：２の範囲（本実施形態では、５ｍｍ：３ｍｍ）に設定されている。
【００１７】
［実施形態の作用］
図３は、実施形態に係るメイク落としタオルの使用状態を示す図である。
図３に示すように、ユーザ２０は、洗面台や浴室において、メイク落としタオル１を水または湯で濡らすことで水分を含ませた後、フェースメイクが施された顔２１を撫でるようにぬぐう。この際、ユーザ２０は、ファウンデーション等の比較的落ちやすいフェースメイクに対しては第１面１０ａ（すなわち、第１フィラメント１１）を用い、アイメイク等の比較的落ちにくいフェースメイクに対しては第２面１０ｂ（すなわち、第２フィラメント１２）を用いる。なお、長い第１フィラメント１１が密植された第１面１０ａは、肌への攻撃性が非常に小さいため、デリケートな肌質に好適である。
【００１８】
メイク落としタオル１で顔２１をぬぐうと、第１フィラメント１１あるいは第２フィラメント１２の先端が肌の毛穴にまで入り込み、油性のフェースメイク等の構造を崩しながら吸着して水分中に分散させる。これにより、ユーザ２０は、石鹸やクレンジング剤を用いることなくごく短時間でフェースメイクを除去でき、肌への負担をほとんど覚えることがない。
【００１９】
使用後のメイク落としタオル１は、吸着した多種のフェースメイクで汚れている。そこで、ユーザ２０は、洗面器でのゆすぎや洗濯機での洗濯を行い、メイク落としタオル１からフェースメイクを流し落とす。次に、ユーザ２０は、ストラップ４を用いて浴室の壁に設けられたフックに吊したり、洗濯ハンガーを用いて天日干しを行ったりすることにより、メイク落としタオル１を乾燥させる。ポリエステル繊維からなるフィラメント１１，１２は耐久性に優れるため、多数回（例えば、１０００回程度）の洗濯が可能であり、旧来のメイク落としシートに比べてランニングコストを遙かに低く抑えることができる。
【００２０】
以上で具体的な実施形態の説明を終えるが、本考案の態様はこれらに限られるものではない。例えば、上記実施形態ではフィラメントの素材にポリエステルを用いたが、他種の化学繊維や自然繊維を採用してもよいし、フィラメントをカットパイル以外の方法で形成してもよい。また、第１フィラメントの長さと第２フィラメントの長さとの比は、２：１以下としてもよいし、３：２以上としてもよい。また、全体形状についても、長円形状以外（例えば、長方形等）を採用してもよい。
【産業上の利用可能性】
【００２１】
本考案のメイク落としタオルは、フェースメイクの除去に効果的に利用できる。
【符号の説明】
【００２２】
１      タオル
２      タオル本体
３      縁布
４      ストラップ
１０    基布
１０ａ  第１面
１０ｂ  第２面
１１    第１フィラメント
１２    第２フィラメント
２０    ユーザ
２１    顔
【図１】
0003213489.tif 000003
【図２】
0003213489.tif 000004
【図３】
0003213489.tif 000005